(57)【要約】【課題】装置構成の簡素化を図り、高速通信が可能なネットワーク用通信装置を得る。【解決手段】ブリッジ機能部１２はメカニカルスイッチ１５のスイッチ設定内容（認証入力モード／通常通信モード）によってデータ処理部１３及びＣＰＵ１６のうち一方をイーサネット（登録商標）インタフェース部１１にＭＡＣレイヤにおいて接続する。すなわち、上記スイッチ設定内容が認証入力モードの時、イーサネット（登録商標）インタフェース部１１とＣＰＵ１６との第１の通信経路のみを設定し、上記スイッチ設定内容が通常通信モードの時、イーサネット（登録商標）インタフェース部１１とデータ処理部１３（通信キャリア局内装置３）との第２の通信経路を設定する。この第２の通信経路上にＣＰＵ１６は介在しない。【選択図】図２
2007036764.tif 000002
【特許請求の範囲】
【請求項１】
端末機器が接続される第１のインタフェース機能部と、
ネットワーク接続用の通信キャリア局内装置が接続される第２のインタフェース機能部と、
認証パラメータが記憶可能な記憶部と、
前記記憶部に対する書き込みが可能な制御部と、
第１のモード時に前記第１のインタフェース機能部と前記制御部との直接通信経路である第１の通信経路のみを設定し、第２のモード時に前記第１及び第２のインタフェース機能部間を結び、かつ前記制御部が介在しない通信経路である第２の通信経路を設定する通信経路切り換え部と、
を備えるネットワーク用通信装置。
【請求項２】
請求項１記載のネットワーク用通信装置であって、
前記通信経路切り換え部は、
前記第１及び第２のモードをスイッチ設定内容で指示するメカニカルスイッチを含む、
ネットワーク用通信装置。
【請求項３】
請求項２記載のネットワーク用通信装置であって、
前記通信経路切り換え部は、
前記第１及び第２のインタフェース部並びに前記制御部に接続され、前記メカニカルスイッチの前記スイッチ設定内容に基づき、前記第１のモード時に前記第１のインタフェース機能部と前記制御部とをＭＡＣレイヤにおいて接続することにより前記第１の通信経路を設定し、前記第２のモード時に前記第１及び第２のインタフェース機能部間を前記制御部を介在させることなく前記ＭＡＣレイヤにおいて接続することにより前記第２の通信経路を設定するブリッジ機能部をさらに含む、
ネットワーク用通信装置。
【請求項４】
請求項２記載のネットワーク用通信装置であって、
前記通信経路切り換え部は、
前記第１のインタフェース部と前記第２のインタフェース部及び前記制御部との間に設けられ、前記メカニカルスイッチの前記スイッチ設定内容に基づき、前記第１のモード時に前記第１のインタフェース機能部と前記制御部とを選択的に接続することにより前記第１の通信経路を設定し、前記第２のモード時に前記第１及び第２のインタフェース機能部間を選択的に接続することにより前記第２の通信経路を設定するセレクタ部をさらに含む、
ネットワーク用通信装置。
【発明の詳細な説明】
【技術分野】
【０００１】
この発明は、ネットワーク用通信装置に関し、特にパソコンなどの端末機器をネットワークに接続するための宅内通信機器に関する。
【背景技術】
【０００２】
ＯＮＵ（Optical Network Unit）は、光ファイバー加入者通信網において、パソコンなどの端末機器をネットワークに接続するための宅内通信機器（ネットワーク用通信装置）である。宅内通信機器は端末機器を通信キャリア局内装置との間をネットワーク通信可能に接続する機器であり、宅内通信機器それぞれに通信キャリア局内装置からの適否チェックを行うために認証パラメータを入力する必要がある。
【０００３】
宅内通信機器は、認証パラメータの入力用にシリアルインタフェースを具備し、このシリアルインタフェースを介して保守端末のシリアルポートから認証パラメータを取り込むのが一般的であった。
【０００４】
また、ネットワーク通信用の通信ポートを介して取り込む場合、全ての信号から認証パラメータを判別する必要があるため、通常、ユーザーデータの通信経路にＣＰＵを介在させ、ＣＰＵの制御下で認証パラメータを判別して取り込む構成を採る必要があった。ユーザーデータの通信経路にＣＰＵを介在させた構成例として、例えば特許文献１に開示されたネットワーク間接続機器がある。特許文献１で開示された構成は、ＣＰＵに専用パスを介して無線ＬＡＮコントローラを接続するとともに、ＣＰＵバス、バスブリッジ及びＰＣＩバスを介してイーサネット（登録商標）コントローラを接続する構成をとっている。
【０００５】
【特許文献１】特開２００３−４６５２８号公報
【発明の開示】
【発明が解決しようとする課題】
【０００６】
宅内通信機器が認証パラメータの入力用にシリアルインタフェースを具備する構成は、当該シリアルインタフェースを別途設ける分、機器構成を複雑化する問題点があった。
【０００７】
一方、上記特許文献１のような構成をとる場合、ＣＰＵがユーザーデータの通信経路に介在しており、１Ｇｂｐｓ等の高速通信を実現する場合、ＣＰＵの処理速度に限界があるため、高速通信に支障を来すという問題点があった。
【０００８】
この発明は上記問題点を解決するためになされたもので、装置構成を複雑化せず、高速通信が可能なネットワーク用通信装置を得ることを目的とする。
【課題を解決するための手段】
【０００９】
この発明に係る請求項１記載のネットワーク用通信装置は、端末機器が接続される第１のインタフェース機能部と、ネットワーク接続用の通信キャリア局内装置が接続される第２のインタフェース機能部と、認証パラメータが記憶可能な記憶部と、前記記憶部に対する書き込みが可能な制御部と、第１のモード時に前記第１のインタフェース機能部と前記制御部との直接通信経路である第１の通信経路のみを設定し、第２のモード時に前記第１及び第２のインタフェース機能部間を結び、かつ前記制御部が介在しない通信経路である第２の通信経路を設定する通信経路切り換え部とを備えている。
【発明の効果】
【００１０】
この発明における請求項１記載のネットワーク用通信装置は、通信経路切り換え部により、第１のモード時に第１のインタフェース機能部と前記制御部との直接通信経路である第１の通信経路のみを設定するため、第１のインタフェース機能部に接続される端末機器を用いて認証パラメータを装置内の記憶部に記憶させることができる。
【００１１】
したがって、請求項１記載の本願発明のネットワーク用通信装置は、認証パラメータ入力用の入力部を余分に必要としない分、装置構成の簡素化図ることができる効果を奏する。
【００１２】
さらに、第２のモード時に第２のインタフェース機能部を介してネットワーク通信用に有効とされる第２の通信経路には制御部が介在しないため、ネットワーク通信時に制御部の能力が影響を与えることはない。その結果、請求項１記載の本願発明のネットワーク用通信装置を用いて実現されるネットワーク通信速度の高速化を図ることができる効果を奏する。
【発明を実施するための最良の形態】
【００１３】
＜実施の形態１＞
（ネットワークシステム）
図１はこの発明の実施の形態１であるネットワーク用通信装置である宅内通信機器を含むネットワークシステムの構成を示すブロック図である。
【００１４】
同図に示すように、ユーザーの端末機器となるＰＣ（パーソナルコンピュータ）１とＯＮＵ等の宅内通信装置２とがユーザインタフェース４を介して接続される。一方、ＯＬＴ（Optical Line Terminal）等のネットワーク接続用の通信キャリア局内装置３はＰＯＮ（Passive Optical Network）等に対応したネットワークインタフェース５を介して宅内通信装置２と接続される。通信キャリア局内装置３には、例えば、インタ−ネット、コンテンツサーバ等が接続される。
【００１５】
上記構成において、宅内通信装置２はＰＣ１のファーストイーサネット（登録商標）コントロール（Fast Ethernet Controll）ポートよりユーザインタフェース４を介して認証パラメータが入力可能に構成されることを特徴の一つとしている。そして、通信キャリア局内装置３は、ネットワークインタフェース５を介して得られる宅内通信装置２に格納された認証パラメータに基づき適否を判定し、宅内通信装置２の正当性を確認した後、宅内通信装置２を介したＰＣ１，通信キャリア局内装置３間のネットワーク通信を許可する。
【００１６】
（宅内通信装置）
図２は図１で示した宅内通信装置の内部構成を示すブロック図である。同図に示すように、宅内通信装置２は内部にイーサネット（登録商標）インタフェース部１１、ブリッジ機能部１２、データ処理部１３、光送受信部１４、メカニカルスイッチ１５、ＣＰＵ１６及びメモリ１７を有している。
【００１７】
イーサネット（登録商標）インタフェース部１１はユーザインタフェース４を介したＰＣ１とのインタフェース機能を司る。すなわち、イーサネット（登録商標）インタフェース部１１はユーザインタフェース４と共にＰＣ１が接続される第１のインタフェース機能部として機能する。
【００１８】
ブリッジ機能部１２はメカニカルスイッチ１５のスイッチ設定内容によってデータ処理部１３及びＣＰＵ１６のうち一方をイーサネット（登録商標）インタフェース部１１にＭＡＣ（Media Access Control）レイヤ（データリンクレイヤ）において接続する。
【００１９】
データ処理部１３はＰＣ１、ユーザインタフェース４、イーサネット（登録商標）インタフェース部１１及びブリッジ機能部１２を介して得られる、ユーザデータに対する処理を行う。その主要な処理はＰＣ１側と通信キャリア局内装置３側とのインタフェース変換処理である。
【００２０】
光送受信部１４はネットワークインタフェース５を介した通信キャリア局内装置３とのインタフェース機能を司る。すなわち、光送受信部１４はネットワークインタフェース５と共に通信キャリア局内装置３が接続される第２のインタフェース機能部として機能する。
【００２１】
メカニカルスイッチ１５はブリッジ機能部１２にイーサネット（登録商標）インタフェース部１１との接続先対象を規定するスイッチ設定内容を機械式で設定可能なスイッチである。
【００２２】
制御部であるＣＰＵ１６は記憶部であるメモリ１７に読み書き可能に接続され、認証入力モード時においてＰＣ１から入力される認証パラメータをメモリ１７に認証パラメータを書き込むことができる。
【００２３】
（認証パラメータ入力動作）
メカニカルスイッチ１５によってスイッチ設定内容を認証入力モード（第１のモード）に設定する。その結果、ブリッジ機能部１２は認証入力モードに設定されたスイッチ設定内容に基づき、イーサネット（登録商標）インタフェース部１１とＣＰＵ１６との直接通信経路である第１の通信経路（ＰＣ１，ユーザインタフェース４，イーサネット（登録商標）インタフェース部１１，ブリッジ機能部１２及びＣＰＵ１６）のみを設定し、ＰＣ１，ＣＰＵ１６間が直接通信可能状態となる。
【００２４】
この状態でＰＣ１から認証パラメータを入力すると、ＣＰＵ１６は当該認証パラメータをメモリ１７に格納する書き込み動作を実行し、認証パラメータの宅内通信装置２への入力処理は完了する。
【００２５】
（通常通信動作）
メカニカルスイッチ１５によってスイッチ設定内容を通常通信モード（第２のモード）に設定する。通常通信モードでは、ブリッジ機能部１２は通常通信モードに設定されたスイッチ設定内容に基づき、イーサネット（登録商標）インタフェース部１１と通信キャリア局内装置３との第２の通信経路（ＰＣ１，ユーザインタフェース４，イーサネット（登録商標）インタフェース部１１，ブリッジ機能部１２、データ処理部１３、光送受信部１４及び通信キャリア局内装置３）を有効とし、ＰＣ１，通信キャリア局内装置３間がネットワーク通信可能状態となる。一方、ＣＰＵ１６が介在する第１の通信経路は無効とされる。
【００２６】
そして、まず、通信キャリア局内装置３による認証処理が行われる。すなわち、通信キャリア局内装置３からネットワークインタフェース５、光送受信部１４、及びデータ処理部１３を介してＣＰＵ１６にアクセスし、メモリ１７に格納された認証パラメータを読み出し、読み出した認証パラメータに基づき適否を判定する認証処理を行い、認証処理にて正当性が確認されると、ＰＣ１，通信キャリア局内装置３間のネットワーク通信を許可する。その結果、ユーザは、ＰＣ１から通信キャリア局内装置３に接続されるインタ−ネット、コンテンツサーバ等とのネットワーク通信が可能となる。
【００２７】
（効果）
このように、実施の形態１の宅内通信装置によれば、メカニカルスイッチ１５とブリッジ機能部１２とにより構成される通信経路切り換え部により、認証入力モード時に第１の通信経路が設定され、通常通信モード時に第２の通信経路が接続される。
【００２８】
このため、実施の形態１の宅内通信機器は、認証入力モード時に、通常のネットワーク通信に用いるユーザインタフェース４を利用して、ＰＣ１から内部のメモリ１７に認証パラメータを格納することができる。したがって、認証パラメータ入力用のポート等を必要としない分、装置構成の簡素化を図るという効果を奏する。
【００２９】
さらに、認証入力モード時は、メカニカルスイッチ１５のスイッチ設定内容に基づき動作するブリッジ機能部１２によって、ＰＣ１，ＣＰＵ１６間の第１の通信経路のみが有効になり、ＣＰＵ１６はＰＣ１から入力されるデータを認証パラメータとしてメモリ１７に取り込む機能のみが要求され、ユーザデータと認証パラメータとが混在する信号群から認証パラメータの信号レベルを判別する機能は必要されないため、ＣＰＵ１６の機能レベルを低く抑えることができる分、装置の低コスト化を図ることができる。
【００３０】
加えて、通常通信モードにおけるＰＣ１，通信キャリア局内装置３間のユーザデータのネットワーク通信時には第２の通信経路が用いられ、この第２の通信経路上にはＣＰＵ１６は介在しないため、ユーザデータのネットワーク通信時にＣＰＵ１６の能力が影響を与えることはない。その結果、実施の形態１の宅内通信装置を用いて実現されるネットワーク通信速度の高速化が可能となる。
【００３１】
＜実施の形態２＞
図３は実施の形態２の宅内通信装置の内部構成を示すブロック図である。なお、ネットワークシステム構成は図１で示した実施の形態１の構成と同様であり、宅内通信装置２に置き換わって宅内通信装置６が用いられる点が異なる。
【００３２】
同図に示すように、宅内通信装置２は内部にイーサネット（登録商標）インタフェース部１１、データ処理部１３、光送受信部１４、ＣＰＵ１６、メモリ１７、メカニカルスイッチ１８及びセレクタ部を構成するセレクタ１９ａ，１９ｂを有している。なお、イーサネット（登録商標）インタフェース部１１、データ処理部１３、光送受信部１４、ＣＰＵ１６及びメモリ１７については実施の形態１の宅内通信装置２と同様であるため説明を省略する。
【００３３】
メカニカルスイッチ１８は、セレクタ１９ａ，１９ｂそれぞれのスイッチ設定内容を機械式で設定可能なスイッチである。セレクタ１９ａはメカニカルスイッチ１８のスイッチ設定内容に従いデータ処理部１３及びＣＰＵ１６から得られる信号（データ）の一方のみを選択してイーサネット（登録商標）インタフェース部１１に伝達する。セレクタ１９ｂはメカニカルスイッチ１８のスイッチ設定内容に従い、イーサネット（登録商標）インタフェース部１１より得られる信号（データ）をデータ処理部１３及びＣＰＵ１６のうち一方のみを選択して伝達する。また、ＣＰＵ１６はメカニカルスイッチ１８のスイッチ設定内容に基づき動作内容（書き込み／読み出し）が制御される。
【００３４】
（認証パラメータ入力動作）
メカニカルスイッチ１８によってスイッチ設定内容を認証入力モードに設定する。メカニカルスイッチ１８のスイッチ設定内容（認証入力モード）に基づき、セレクタ１９ａはＣＰＵ１６からイーサネット（登録商標）インタフェース部１１の信号伝達を有効とし、セレクタ１９ｂはイーサネット（登録商標）インタフェース部１１からＣＰＵ１６への信号伝達を有効とする。また、ＣＰＵ１６は認証入力モードを認識すると書き込み状態となる。
【００３５】
その結果、イーサネット（登録商標）インタフェース部１１とＣＰＵ１６との直接通信経路である第１の通信経路（ＰＣ１，ユーザインタフェース４，セレクタ１９ａ，１９ｂ及びＣＰＵ１６）のみを有効とし、ＰＣ１，ＣＰＵ１６間が直接通信可能状態となる。
【００３６】
この状態でＰＣ１から認証パラメータを入力すると、書き込み状態のＣＰＵ１６は当該認証パラメータをメモリ１７に格納することにより、認証パラメータの宅内通信装置２への入力処理は完了する。
【００３７】
（通常通信動作）
メカニカルスイッチ１８によってスイッチ設定内容を通常通信モードに設定する。通常通信モードにおいて、メカニカルスイッチ１８のスイッチ設定内容（通常通信モード）に基づき、セレクタ１９ａはデータ処理部１３からイーサネット（登録商標）インタフェース部１１の信号伝達を有効とし、セレクタ１９ｂはイーサネット（登録商標）インタフェース部１１からデータ処理部１３への信号伝達を有効とする。その結果、イーサネット（登録商標）インタフェース部１１と通信キャリア局内装置３との第２の通信経路（ＰＣ１，ユーザインタフェース４，イーサネット（登録商標）インタフェース部１１，セレクタ１９ａ，１９ｂ、データ処理部１３、光送受信部１４及び通信キャリア局内装置３）を有効とし、ＰＣ１，通信キャリア局内装置３間がネットワーク通信可能状態となる。一方、ＣＰＵ１６が介在する第１の通信経路は無効とされる。
【００３８】
そして、実施の形態１と同様に認証処理が行われ、正当性が確認されると、実施の形態１と同様、ユーザは、ＰＣ１から通信キャリア局内装置３に接続されるインタネット、コンテンツサーバ等とのネットワーク通信が可能となる。
【００３９】
（効果）
このように、実施の形態２の宅内通信装置によれば、実施の形態１と同様、通常のネットワーク通信に用いるユーザインタフェース４を利用して内部のメモリ１７に認証パラメータを格納することができるため、装置構成の簡素化を図ることができる。
【００４０】
さらに、認証入力モード時は、メカニカルスイッチ１８のスイッチ設定内容に基づくセレクタ１９ａ，１９ｂの選択的接続が行われることにより、ＰＣ１，ＣＰＵ１６間の第１の通信経路のみが有効になり、ＣＰＵ１６はＰＣ１から入力されるデータを認証パラメータとしてメモリ１７に取り込む機能のみが要求されるため、実施の形態１と同様、装置の低コスト化を図ることができる。
【００４１】
加えて、通常通信モードにおけるＰＣ１，通信キャリア局内装置３間のユーザデータのネットワーク通信時にはＣＰＵ１６が介在しない第２の通信経路が用いられるため、ＣＰＵ１６にユーザデータが入力されることはなく、実施の形態１と同様、ネットワーク通信速度の高速化が可能となる効果を奏する。
【図面の簡単な説明】
【００４２】
【図１】この発明の実施の形態１である宅内通信機器を含むネットワークシステムの構成を示すブロック図である。
【図２】図１で示した実施の形態１の宅内通信装置の内部構成を示すブロック図である。
【図３】実施の形態２の宅内通信装置の内部構成を示すブロック図である。
【符号の説明】
【００４３】
１  ＰＣ、２，６  宅内通信装置、３  通信キャリア局内装置、４  ユーザインタフェース、５  ネットワークインタフェース、１１  イーサネット（登録商標）インタフェース部、１２  ブリッジ機能部、１３  データ処理部、１４  光送受信部、１５，１８  メカニカルスイッチ、１６  ＣＰＵ、１７  メモリ、１９ａ，１９ｂ  セレクタ。
【図１】
2007036764.tif 000003
【図２】
2007036764.tif 000004
【図３】
2007036764.tif 000005